(57)【要約】【課題】番組に関連のある情報へのユーザのアクセス結果に基づいて、番組を録画する録画予約を設定可能な電子機器及び録画予約方法を提供する。【解決手段】実施形態の電子機器は、取得手段と、特定手段と、予約判定手段と、を具備する。取得手段は、ユーザに閲覧された情報を取得し、当該閲覧された情報から、番組に関連のある第一の情報と前記番組を録画対象とするための判定に用いる第二の情報とを取得する。特定手段は、前記取得手段が取得した前記第一の情報に基づいて予約対象となる番組が存在することを特定する。予約判定手段は、前記取得手段が取得した前記第二の情報に基づいて前記特定手段が特定した番組を予約対象とすべき番組であると判定する。【選択図】図１
2016051952.tif 000002
【特許請求の範囲】
【請求項１】
ユーザに閲覧された情報を取得し、当該閲覧された情報から、番組に関連のある第一の情報と前記番組を録画対象とするための判定に用いる第二の情報とを取得する取得手段と、
前記取得手段が取得した前記第一の情報に基づいて予約対象となる番組が存在することを特定する特定手段と、
前記取得手段が取得した前記第二の情報に基づいて前記特定手段が特定した番組を予約対象とすべき番組であると判定する予約判定手段と、
を具備する電子機器。
【請求項２】
前記予約判定手段が予約対象であると判定した前記番組の情報を、番組を録画する記録装置に供給する予約処理手段をさらに具備する請求項１の電子機器。
【請求項３】
情報保持部が保持する情報を閲覧した時間を計数し、前記番組を録画対象とするための判定に用いる第三の情報とを生成する生成手段をさらに具備する請求項１の電子機器。
【請求項４】
前記予約処理手段が予約対象であると判定した前記番組の識別情報と、当該番組に対応付けられた、前記閲覧された情報のアドレスとを出力する出力手段を更に具備する請求項２の電子機器。
【請求項５】
前記取得手段は、前記ユーザに閲覧された情報を外部操作端末から取得し、
前記出力手段は、前記前記予約処理手段が予約対象であると判定した前記番組の識別情報と、前記閲覧された情報のアドレスとを前記外部操作端末に出力する、請求項４の電子機器。
【請求項６】
前記電子機器は、ユーザが前記情報の閲覧に用いる電子機器であり、
前記電子機器は、画像を表示する表示手段を更に備え、
前記出力手段は、予約対象であると判定した前記番組の識別情報と、当該番組に対応付けられた、前記閲覧された情報へのリンク情報とを含む画面を表示装置に出力する請求項１の電子機器。
【請求項７】
前記電子機器は、前記番組を録画する記録装置である請求項２の電子機器。
【請求項８】
前記電子機器は、ユーザが前記情報の閲覧に用いる電子機器と前記番組を録画する記録装置とを相互に接続する請求項２ないし４のいずれかの電子機器。
【請求項９】
情報保持部が保持する閲覧された情報から、番組に関連のある第一の情報と番組を録画対象とするための判定に用いる第二の情報とを取得し、
第一の情報に基づいて予約対象となる番組が存在することを特定し、
第二の情報に基づいて番組を予約対象とすべき番組であると判定する
録画予約方法。
【発明の詳細な説明】
【技術分野】
【０００１】
この発明は、電子機器及び録画予約方法に関する。
【背景技術】
【０００２】
インターネットを介して録画予約が可能なテレビジョン放送受信装置（テレビ装置）が普及している。
【先行技術文献】
【特許文献】
【０００３】
【特許文献１】特開２００６−０１９９９６号公報
【発明の概要】
【発明が解決しようとする課題】
【０００４】
インターネットと接続するテレビ装置は、ユーザが視聴あるいは録画しようとする番組について、インターネットからさまざまな情報を取得できる。
【０００５】
また、ユーザが録画すると予想される番組を自動的に録画予約する自動録画予約も実用化されている。
【０００６】
しかしながら、ユーザが録画すると予想される番組を自動録画予約により録画した番組がユーザの希望する番組と一致しない場合も少なくない。
【０００７】
なお、自動録画予約により録画する番組とユーザが録画を希望する番組とを高い精度で一致させるために、例えばＳＮＳ（ソーシャルネットワークサービス）等において話題となっている番組とユーザの嗜好とを比較する手法も実用化されているが、録画した番組の全てをユーザの希望する番組と一致させることは、依然として、困難である。
【０００８】
この発明の目的は、番組に関連のある情報へのユーザのアクセス結果に基づいて、番組を録画する録画予約を設定可能な電子機器及び録画予約方法を提供することである。
【課題を解決するための手段】
【０００９】
実施形態の電子機器は、取得手段と、特定手段と、予約判定手段と、を具備する。取得手段は、ユーザに閲覧された情報を取得し、当該閲覧された情報から、番組に関連のある第一の情報と前記番組を録画対象とするための判定に用いる第二の情報とを取得する。特定手段は、前記取得手段が取得した前記第一の情報に基づいて予約対象となる番組が存在することを特定する。予約判定手段は、前記取得手段が取得した前記第二の情報に基づいて前記特定手段が特定した番組を予約対象とすべき番組であると判定する。
【図面の簡単な説明】
【００１０】
【図１】実施形態に係る電子機器及び電子機器相互の接続の一例を示す。
【図２】実施形態に係る電子機器相互の接続における接続先の情報の表示の一例を示す。
【図３】実施形態に係る接続先の情報から録画予約を設定する動作の一例をソフトウェア的に示す。
【図４】実施形態に係る電子機器（携帯端末装置）の録画予約状況の表示の一例に示す。
【図５】実施形態に係る電子機器及び電子機器相互の接続の一例を示す。
【図６】実施形態に係る電子機器及び電子機器相互の接続の一例を示す。
【図７】実施形態に係る電子機器及び電子機器相互の接続の一例を示す。
【発明を実施するための形態】
【００１１】
以下、図面を参照して、本発明の実施の一形態について説明する。
【００１２】
図１は、実施形態に係る電子機器及び電子機器相互の接続の一例を示す。
【００１３】
図１が示すように、ネットワーク（インターネット）ＮＴＷを通じて、端末装置（第一の電子機器）１０１、画像記録装置（第二の電子機器）１及び予約エンジン（第三の電子機器）２０１が、相互に接続する。なお、個々の装置相互間においては、文字情報や動画あるいは静止画もしくはそれらを含む画像データの受け渡し、制御信号または制御データの受け渡し、等が可能である。また、個々の装置相互間における上述の各種データの受け渡しは、光ファイバや従来からの通信網を用いる有線式あるいは空間波を用いる無線式のいずれの方式も利用可能である。
【００１４】
端末装置１０１は、例えばパーソナルコンピュータ（ＰＣ）、タブレット型ＰＣもしくはスマートフォン、等、任意である。なお、端末装置１０１は、インターネットＮＴＷへの接続とウェブページ（ホームページ）の閲覧（ウェブブラウジング）が可能であれば、形状と大きさ、携帯可能か否かは、任意である。
【００１５】
画像記録装置１は、番組すなわちテレビジョン放送を受信して記録するレコーダ装置やテレビジョン放送を受信して再生するテレビジョン装置（以下テレビ装置と略称する）、等である。なお、レコーダ装置にモニタ装置を接続することで、テレビ装置と同様に番組の受信と再生あるいは記録した番組の再生が可能である。また、今日、テレビ装置と接続する記憶装置１１にテレビ装置で受信した番組を記録することも可能ある。なお、テレビ装置１が記憶装置１１を内部に有するものであってもよい。さらに、テレビ装置あるいはレコーダ装置は複数であってもよく、その場合、少なくとも１台がインターネットＮＴＷへの接続とウェブページの閲覧とが可能であればよい。
【００１６】
これにより、端末装置１０１とテレビ装置１との間で、端末装置１０１を入力装置として、テレビ装置１に任意の番組の録画予約を登録する（録画予約を設定する）ことが可能である。なお、予約エンジン２０１は、図５−図７により後段に説明するが、テレビ装置１と端末装置１０１との間に位置してもよいし、テレビ装置１または端末装置１０１のいずれか一方とのみ、接続するものであってもよい。また、図６及び図７においては、図示の都合上、予約エンジン２０１がテレビ装置１または端末装置１０１と接続するように示しているが、いずれかの装置に組み込まれるものであってもよい。
【００１７】
予約エンジン２０１は、制御部（ＣＰＵ）２０２、ＲＡＭ（メインメモリ）２０３、記憶部（ＮＶＭ）２０４、入出力管理部（ネットワークコントローラ）２０５、カウンタ部２０６、番組予約判定部（以下判定部と称する）２０７、データベース管理部（以下ＤＢ管理部と称する）２０８、予約処理部２０９及び単語抽出部２１０を、少なくとも含む。また、予約エンジン２０１には、少なくとも単語データベース（以下単語ＤＢと称する）２１１及びテレビ番組データベース（以下番組ＤＢと称する）２２１が接続する。なお、番組ＤＢ２２１は、後述のＥＰＧ（電子番組表）情報を作成するＥＰＧ事業者が用意するＥＰＧ情報（ＥＰＧデータベース（ＤＢ））であってもよい。
【００１８】
予約エンジン２０１は、ネットワークＮＴＷと接続している端末装置１０１（ユーザ）によるアクセス（ウェブブラウジング／閲覧）要求があった任意のサイトについて、例えば    
サイト（ウェブページ）名、    
ページ（サイト）内のハイパーリンクからジャンプしたリンク先（ページ）名、    
ジャンプしたリンク先（ページ）の閲覧時間、    
ハイパーリンクが示す文字列からの番組名の特定、    
ジャンプしたリンク内でのキーワード（ポジティブ／ネガティブ）検索、    
ジャンプしたリンク内での画像検索、    
ジャンプしたリンク内での関連リンクの検索、    
検索ウインドウからの文字入力による任意検索、    
等の少なくとも１つを抽出し、記憶部２０４の所定の領域に、一時的に記憶する。なお、ユーザがウェブブラウジングすることが予想されるサイトとしては、例えば任意の放送局（放送事業者）あるいは配信事業者が用意する番組供給事業者サイト、ＥＰＧ情報や番組情報誌（またはウェブページ）を作成する事業者が用意する番組情報提供事業者サイト、もしくはＳＮＳ（ソーシャルネットワークサービス）運営者が提供するＳＮＳサイト、等を上げることができる。
【００１９】
制御部（ＣＰＵ）２０２は、予約エンジン２０１を制御する。ＣＰＵ２０２は、例えばファームウェアとしてＲＡＭ２０３を制御するメモリコントローラを保持し、図示しないＲＯＭから読み出され、ＲＡＭ２０３に書き込まれるオペレーティングシステム（ＯＳ）及びイニシャルプログラム（起動処理）を実行する。また、ＣＰＵ２０２は、起動処理の終了後、記憶部２０４が保持する任意のアプリケーションプログラム及びユーティリティプログラムを実行する。ＣＰＵ２０２はまた、ＤＢ管理部２０８の動作すなわちユーザによる操作入力に対応する単語ＤＢ２１１や番組ＤＢ２２１との間のデータの受け渡し、等を制御する。なお、ＲＡＭ２０３は、以下に説明する個々の要素の動作において、ワークエリアとして用いられる。
【００２０】
記憶部２０４は、テレビ装置１と端末装置１０１との間のデータの受け渡しや端末装置１０１からの予約エンジン２０１への制御指示（ユーザによる操作入力）及び予約エンジン２０１から端末装置１０１への出力される情報の出力、等に適用する規則を保持する。なお、上述の規則は、端末装置１０１からの指示に従い、アプリケーションとしてネットワークＮＴＷと接続しているダウンロードサービス（サービスサーバ）から取得し、記憶部２０４のダウンロードプログラム格納領域に保存することも可能である。
【００２１】
ネットワークコントローラ（入出力管理部）２０５は、ユーザによる操作入力すなわち端末装置１０１からの制御指示に基づいて、例えばネットワークＮＴＷと接続している任意のサーバからユーザが要求する情報を取得できる。ネットワークコントローラ２０５はまた、ネットワークＮＴＷを通じて、後段に説明する「予約リスト」を端末装置１０１に送信し、あるいは端末装置１０１による削除指示に従い、「予約リスト」中の任意の録画予約の削除が可能である。
【００２２】
カウンタ部２０６は、図２を用いて後段に説明するが、ユーザ指示によりアクセスする任意の番組のホームページを閲覧（ウェブブラウジング）している時間を計数する。
【００２３】
判定部２０７は、後段に説明するが、ユーザ指示によりアクセスする番組を録画予約の対象とするか否かを判定する。
【００２４】
ＤＢ管理部２０８は、単語ＤＢ２１１及び番組ＤＢ２２１へのアクセスと個々のデータベース（ＤＢ）２１１及び２２１が保持するデータ（単語／番組）の検索や追加（あるいは削除）を行う。
【００２５】
予約処理部２０９は、判定部２０７が録画予約の対象にすると判定した番組の識別情報を画像記録装置１にネットワークＮＴＷを通じて供給し、画像記録装置１に録画予約を設定する。予約処理部２０９はまた、判定部２０７が録画予約の対象にすると判定した番組の情報すなわち予約情報を、番組の識別情報とともに、端末装置１０１に送信する。予約情報の送信時には、予約処理部２０９は、例えばＮＶＭ２０４が保持するテレビ装置１及び端末装置１０１のそれぞれのアドレスを読み出し、予約情報を、これらのアドレス宛に送信することによりテレビ装置１及び端末装置１０１に送信する。なお、予約情報は、ユーザのウェブブラウジングに基づき、録画予約のきっかけとなったホームページのアドレス情報とを対応付けた情報であっても良い。
【００２６】
なお、例えばテレビ装置１を製造した製造メーカーの用意するサービスサーバー（クラウドサーバー）１００１がネットワークＮＴＷ上に位置する場合、予約処理部２０９は、上述の予約情報を、サービスサーバー１００１の所定の格納領域に格納することも可能である。この場合、テレビ装置１あるいは端末装置１０１は、サービスサーバー１００１が保持する上述の予約情報を、所定のタイミングでダウンロードすればよい。
【００２７】
単語抽出部２１０は、図２により以下に説明するハイパーリンクの文字列から、番組名を特定するために用いる単語（略語や愛称を含む）を抽出する。抽出部２１０はまた、図２に示すリンク先のホームページに記載されている文や文字列から以下に説明する特定のキーワードやフレーズを抽出する。すなわち、単語の抽出は、後段で説明する録画予約の設定の判定のためにハイパーリンクによるリンク先のホームページ内の記述（説明文等）についても行われる。なお、キーワードとしては、ユーザが番組を録画予約しようと考える意識を高めるポジティブな単語、あるいはユーザが番組を録画予約しようと考える意識を抑えるネガティブな単語、等を含む。ポジティブな単語（フレーズ）としては、例えば『初回視聴率が１５％を超えました』、あるいは『今が旬の○×さんが主役の新作ですから、期待できます』等である。ネガティブな単語（フレーズ）としては、例えば『○○○さんが前作から抜けた影響は小さくないですね』、等である。即ち、抽出部２１０は、番組の評価に関するキーワードやフレーズを抽出する。
【００２８】
なお、予約エンジン２０１は、画像記録装置１あるいは端末装置１０１のいずれかに、一体化されてもよい。
【００２９】
図２は、端末装置１０１を用いて任意のサイトにアクセス（ウェブブラウジング）した場合の画面表示の一例を示す。
【００３０】
例えば、番組情報提供事業者サイトをウェブブラウジングした場合、図２に一例を示すように、その日のウェブブラウジングした以降に放送が予定されている番組のうちのいくつかが、例えば「トピックス」というようなカテゴリーの一覧表示画面１１１により表示される。
【００３１】
一覧表示画面１１１においては、多くのサイトにおける標準的なウェブページの構成に類似して、表示されているそれぞれの番組のサイト（ホームページ）への移動（直接的なアクセス）が可能に、例えば「番組名」や「番組内容を特定できる通称（略称）名」等を表示した文字列を、ハイパーリンク方式により表示している。従って、ユーザは、文字列（ハイパーリンク）が示す番組に興味がある場合、ハイパーリンクからリンク先の番組のホームページ（ウェブサイト）へ移動して、そのページを閲覧することができる。
【００３２】
例えば、任意のハイパーリンク１１９を選択した場合、リンク先の番組のホームページの表示例であるページ１２１が開く。このとき、予約エンジン２０１においては、ＣＰＵ２０２の制御のもとで、カウンタ部２０６が起動し、端末装置１０１に表示されたページ１２１が閉じられる（または表示が取り消される）までの時間を計測する（スクロールまたは改ページ等による連続するページへの移動については、時間の計測を中止しない）。すなわち、興味が少ないページについては、僅かな時間でそのページが閉じられることが考えられる。反面、興味があるページについては、関連するページ（リンクを含む）へのアクセスや検索のために、ページを閲覧している時間が長くなることが予想される。このことから、閲覧（ページが開かれている）時間が一定時間よりも長い場合、そのページの情報と関連のある番組については、予約エンジン２０１において、番組予約判定部２０７が録画予約すべき候補の番組として抽出し、記憶部２０４に、一時的に記憶する。
【００３３】
また、選択されたハイパーリンク１１９の文字列について、予約エンジン２０１の単語抽出部２１０により文字列を分析し、文字列の中からテレビ番組名に関するもの、例えば「番組名」や「番組内容を特定できる略称あるいは略語」、等であると予測される単語を抽出する。続いて、抽出した単語については、ＤＢ管理部２０８において、番組ＤＢ２２１が保持するテレビ番組名と比較、照合が行われる。なお、ハイパーリンクの文字列中に、テレビ番組の正式名が記載されていない、すなわち略語などが使われているケースを想定して、単語ＤＢ２１１中に、略語（略称）に関する情報を記憶しておき、それらを使って上述のテレビ番組名の判定の精度を高めることができる。例えば、スポーツ中継の番組においては、「○○対△△、今夜優勝決定」等、スポーツの種別が省略される場合がある。また、チーム名としても、略称を用いることが広く知られている。同様に、例えば音楽番組においても、歌手や演奏者の表示について、苗字のみ、名前のみ、フルネーム（氏名）あるいは愛称（略称）、等のさまざまな表示がある。また、愛称（略称）についても、ローマ字表示や、かな表示、等がある。このため、さまざまな略称（略語）と正式名とを関連付けて単語ＤＢ２１１中に登録しておくことが有益である。
【００３４】
一方、ハイパーリンク１１９のリンク先のページ１２１の記述内容（ページ内の文字列（記述））からは、録画予約の設定の有無の判定のため、単語抽出部２１０により、単語やフレーズが抽出される。なお、抽出する単語が上述の愛称（略称）である場合は、単語ＤＢ２１１が保持するさまざまな単語と比較、照合が行われる。また、抽出する単語としては、上述したポジティブな／ネガティブな単語（フレーズ）を含む。例えば、単語（フレーズ）『期待できる。』１２４は、ポジティブな単語と判断されると予測される単語である。また、単語（フレーズ）『前作では、、、』１２２あるいは『前作につづき〜〜〜』１２３は、予約判定部２０７において録画予約の登録（設定）を判定する際に、後段に説明するユーザの嗜好との関連を考慮するために有益である。なお、単語の抽出に際しては、ユーザの嗜好すなわちユーザが、設定された録画予約を削除した番組に関連する単語について、単語ＤＢ２１１を更新する（対応する単語の削除、もしくは削除された単語であることを表示して比較可能に管理する）、等により、録画予約の対象とすべき番組を、より好適に決定するために有益である。
【００３５】
図３は、録画予約を設定するための録画予約判定作の一例をソフトウェア的に示す。
【００３６】
ユーザが、端末装置１０１を利用して、任意のホームページ上のハイパーリンクを選択することにより［３０１］、予約エンジン２０１は、入出力管理部（ネットワークコントローラ）２０５を通じてハイパーリンクの文字列の文字情報を取得し、データベース管理部２０８からの単語ＤＢ２１１が保持する単語との比較により、文字列の文字情報を解析する。また、データベース管理部２０８は、解析により得た文字情報と番組ＤＢ２２１が保持する「番組名」または「番組内容を特定できる通称（略称）名」とを比較し、該当する番組があるか否かを、解析する［３０２］。
【００３７】
解析結果から番組情報を抽出できたすなわちハイパーリンクの文字列に基づいて特定できる番組が存在する場合［３０３−ＹＥＳ］、カウンタ部２０６によりリンク先表示時間の計数を開始する。なお、リンク先表示時間の計数の開始は、ユーザがハイパーリンクを選択した時点であってもよい［３０４］。
【００３８】
以下、ユーザが別のホームページに移動するまでの間［３０６］、ホームページの本文を解析する（単語（キーワード）を抽出する）［３０５］。
【００３９】
一方、ユーザが別のホームページに移動したことを検出できた場合［３０６］、リンク先表示時間の計数を終了し、解析したホームページのキーワードを分析する［３０７］。
【００４０】
次に、キーワードの分析結果に基づいて、テレビ装置１に録画予約を行うか否かを判定する［３０８］。
【００４１】
録画予約を行う（録画予約する）と判定した場合［３０９−ＹＥＳ］、録画予約対象の番組の識別情報を含む予約情報を端末装置１０１に送信する［３１０］。なお、予約情報は、上述の録画予約のきっかけとなったホームページのアドレス情報とを対応付けた情報であっても良い。以下、ユーザがウェブブラウジング（閲覧）を終了する（ユーザが他の操作を開始する、等）まで［３１１−ＮＯ］、１以上の番組を録画予約するためのユーザによるウェブブラウジングが継続される（［３０１］〜［３１０］が繰り返される）。
【００４２】
なお、予約エンジン２０１の機能は、図７に例示するように、（１）予約エンジン２０１の全ての機能が端末装置１０１に設けられるケース、図１、図５もしくは図６に例示するように、（２）予約エンジン２０１の全ての機能が端末装置１０１外に設けられるケース、（３）予約エンジン２０１の一部機能（例えば、上述のブロック［３０１］〜［３０７］の処理を実行する機能）が端末装置１０１内に、残りの機能が端末装置１０１の外部の予約エンジン２０１Ｘ（識別のため「Ｘ」を付与する）に設けられるケース（図７に便宜的に併記）、等がある。そして、（２）の場合、端末装置１０１は、ブラウジング中のホームページの情報を予約エンジン２０１に送信する。また、（３）の場合、端末装置１０１内の予約エンジン２０１の解析結果を、他の（外部の）予約エンジン２０１Ｘに送信して、該他の予約エンジン２０１Ｘにおいて、後続の（引き続く）処理を実行する。
【００４３】
すなわち、図２に一例を示す録画予約の対象となり得る番組または関連する情報を表示する一覧表示画面１１１（端末装置１０１）から、ユーザが任意のハイパーリンクを選択する（任意のホームページへアクセスする／ホームページを閲覧する）と、予約エンジン２０１は、単語ＤＢ２１１を参照してハイパーリンクの文字列を解析し、番組ＤＢ２２１を参照して、テレビ番組名を解析する（特定する）。
【００４４】
解析した結果、テレビ情報を抽出（該当するテレビ番組が存在することを特定）できた場合、リンク先表示時間カウンタを起動（リセット）し、ユーザが次の番組もしくは関連のあるホームページを参照するまでの間、（ユーザが）そのホームページを閲覧した時間を計数する。テレビ情報を抽出できた場合はまた、リンク先ホームページの本文の内容を解析する。
【００４５】
ユーザが、端末装置１０１により現在ウェブブラウジングしているホームページから別のホームページへ移動したとき、先に起動したリンク先表示時間カウンタを確認する（計数を停止する）。以下、カウンタ部２０６が閲覧時間（リンク先表示時間）を計数（カウント）したリンク先ホームページの本文中の単語を分析することで、そのページの番組に対する（ユーザの）印象を判定する。例えば、ポジティブな単語が多い場合は、（ユーザは）その番組を観たい（録画しよう）と考えることが予測できる。一方で、ネガティブな単語が多い場合は、その番組を観たいとは思わない（録画の必要がない）と予測できる。
【００４６】
なお、リンク先表示時間をカウンタ部により計数することにより、ユーザの番組ホームページの内容への興味を測ることができる。すなわち、興味のある内容であったならば、そのページを見ている時間は長く、興味がなければその時間は短い、との予測できる。
【００４７】
以下、上述した分析結果を元に、録画予約実行の有無を判定し、録画予約を行う場合、その情報を、例えば図４に一例を示す「予約リスト」として携帯端末１０１に送信する。また、テレビ装置１には、録画予約の設定を行う。
【００４８】
図４は、実施形態に係る端末装置が表示する予約リストの表示の一例に示す。
【００４９】
図４に示す端末装置１０１が表示する予約リストの画面表示の表示例４１１は、ユーザが、一覧表示画面１１１（図２参照）のハイパーリンクからウェブブラウジング（閲覧）した閲覧結果に基づいて録画予約の対象として登録（設定）された番組を、予約リストととして表示した表示例である。
【００５０】
予約リストの画面表示４１１は、タイトル表示領域４１２、新着表示領域４１３、リンクボタン４１４、削除用チェックボックス４１５及び削除バー（ボタン）４１６、等、を表示する。
【００５１】
タイトル表示領域４１２は、録画予約された番組の番組名、放送日、放送時間、等を表示する。新着表示領域４１３は、一定の期間の範囲内で新規に登録された「新着」の録画予約であることを報知する。リンクボタン４１４は、録画予約のきっかけとなったホームページへのジャンプを可能とする。なお、リンクボタン４１４は、ハイパーリンクと関連付けられており、ユーザの操作入力（表示画面へのタッチ、等）に応じて前に閲覧したホームページを見ることができる。すなわち、ユーザは、ユーザ自身が興味をもった内容（番組）がどのようなものかを再確認できる。削除用チェックボックス４１５は、タイトル表示領域４１２が表示する録画予約を一括して削除することのできる制御入力を、録画予約された番組毎に、選択的に入力可能である。削除バー（ボタン）４１６は、削除用チェックボックス４１５にチェックのある録画予約を一括して消去可能に削除制御信号を生起する。
【００５２】
すなわち、図４に示す予約リストにおいては、画像記録装置１に録画予約が登録されているそれぞれの番組について、ユーザは、ユーザ自身が興味をもった内容（番組）がどのようなものかを、番組のホームページにジャンプすることにより、再確認できる。また、ユーザが録画の必要を感じない番組については、その録画予約を、一括して削除できる。すなわち、ユーザは、一覧表示画面１１１のハイパーリンクからウェブブラウジングした閲覧結果に基づいて録画予約が登録された番組について録画の必要性を感じない場合は、登録された録画予約を一括して、（容易に）削除することができる。すなわち、予約エンジン２０１における誤った録画予約判定を、ユーザが解除できる。
【００５３】
なお、削除用チェックボックス４１５にチェックを入れて削除した番組に関する情報、例えば単語ＤＢ２１１に登録した単語やフレーズ、等については、単語ＤＢ２１１において、ユーザの嗜好の判定要素の一つ、すなわち録画予約不要と判断するための要素として管理される。
【００５４】
また、削除された単語やフレーズと関連付けられた番組の情報は、ネットワークＮＴＷを介して予約エンジン２０１に送信され、以降の録画予約の判定に際して、考慮される。すなわち、ユーザの嗜好の例として、ユーザが設定された録画予約を削除した番組に関連する単語については、単語ＤＢ２１１を更新する（対応する単語の削除、もしくは削除された単語であることを表示して、以降に比較可能に管理する）。これにより、録画予約の精度が向上する。
【００５５】
図５−図７は、予約エンジン２０１が、テレビ装置１または端末装置１０１に付属する場合もしくはテレビ装置１と端末装置１０１との間に位置する場合の、予約情報の伝送の例を示す。してもよいし、テレビ装置１または端末装置１０１のいずれか一方とのみ、接続するものであってもよい。なお、図６及び図７に示すように、予約エンジン２０１がテレビ装置１または端末装置１０１のいずれかの装置と一体化されるものであってもよい。
【００５６】
図５に示す例では、端末装置１０１と予約エンジン２０１及びテレビ装置１と予約エンジン２０１とが、相互に接続することで、端末装置１０１がネットワークＮＴＷ上の任意のホームページをブラウジングしている状況は、そのまま予約エンジン２０１が把握可能である。また、例えば予約処理部２０９からテレビ装置１への録画予約の登録（設定）については、予めＭＡＣ（Media Access Control）アドレス（Address）を相互に登録することにより、例えばＨＤＭＩ（High-definition Digital Media Interface（登録商標））、等のインタフェースを適用する（ネットワークＮＴＷを経由することのない）接続が可能となる。すなわち、予約エンジン２０１からテレビ装置１への録画予約の登録（設定）は、随時、可能となる。同様に、端末装置１０１への予約エンジン２０１からの「予約リスト」の供給についても、ＭＡＣアドレスの相互登録及びＨＤＭＩインタフェースあるいはＷｉ−Ｆｉ、等の近距離無線通信規格を適用することにより、容易となる。
【００５７】
図６に示す例は、予約エンジン２０１がテレビ装置１と一体化されている例である。
【００５８】
すなわち、図６に示す例においては、端末装置１０１がブラウジングするホームページの情報は、ネットワークＮＴＷを経由してテレビ装置１に供給され、予約エンジン２０１は、テレビ装置１を経由して、端末装置１０１がブラウジングするホームページの情報を取得する。
【００５９】
従い、予約処理部２０７が録画予約の対象とすべきと判定した番組は、そのままテレビ装置１に録画予約される。なお、予約リストは、テレビ装置１からネットワークＮＴＷを経由して、例えばメール形式で、端末装置１０１に送信される。
【００６０】
図７に示す例は、予約エンジン２０１が端末装置１０１と一体化されている例である。なお、予約エンジン２０１の機能の一部が端末装置１０１の外部に用意される場合も、主要な動作は、実質的に共通である。
【００６１】
すなわち、図７に示す例では、端末装置１０１がブラウジングするホームページの情報は、そのまま予約エンジン２０１に供給される（予約エンジン２０１は、端末装置１０１がブラウジングするホームページの情報を、逐次、取得できる）。
【００６２】
以下、予約エンジン２０１において、録画予約の対象とすべきと判定できた番組の情報は、端末装置１０１からネットワークＮＴＷを通じてテレビ装置１に供給される。もちろん、「予約リスト」に表示された録画予約のうちの端末装置１０１により削除された録画予約については、所定のタイミングで、テレビ装置１の録画予約の登録から削除される。
【００６３】
なお、予約エンジン２０１における一部の機能が端末装置１０１と一体化され、残りの機能が外部の予約エンジン２０１Ｘに設けられるケースにおいても、予約エンジン２０１と端末装置１０１との間の処理については上述の通りであり、単語の解析までを端末装置１０１と接続する予約エンジン２０１が分担する場合、例えば予約エンジン２０１の解析結果を外部の予約エンジン２０１Ｘに送信し、予約エンジン２０１Ｘにおいて、引き続く処理を実行すればよい。
【００６４】
なお、図１、他に示すテレビ装置１は、上述の通り、テレビ装置１と接続する記憶装置１１にテレビ装置１で受信した番組を記録することも可能ある。記億装置１１が、ループ記録である場合、記録日時が古い番組から順に上書き記録により消去されることから、いくつかの番組を関連づけることが好ましい放送形態の番組（シリーズ番組）や、毎日あるいは毎週ほぼ定められた時間に放送される複数回の放送により完結する放送形態の番組（連続番組）、もしくは放送後ある程度時間が経過しても話題に上がることが多いと予測される番組（話題性の高い番組）は、アーカイブファイル化してループ記録のための記憶領域とは異なる記憶領域に保存することが好ましい。
【００６５】
このため、ユーザが任意のホームページをブラウジングすることにより特定できる番組や番組を特定する単語またはフレーズについて、上述の予約エンジン２０１の処理を適用し、例えば人気ランキングが高いと判定できる番組を、アーカイブファイル化して保護する対象とする番組（以下、アーカイブ対象番組、と称する）ことも可能である。
【００６６】
例えば、ユーザのブラウジングするホームページについて、上述の予約エンジン２０１により特定できる番組や番組を特定する単語またはフレーズを特定し、消去対象となっている番組について、例えば人気ランキングが高いと判定できる番組を特定し、消去対象の番組から除外し、アーカイブ対象とすることで、予約エンジン２０１が取得する解析結果を用いる録画予約と同様の手続きにより、ユーザが積極的に番組をアーカイブ化することなく、ユーザが残しておきたい、と考えるであろう録画済番組を消去せずに保存できる。
【００６７】
なお、予約エンジン２０１が抽出することが好ましいフレーズあるいは単語としては、例えば      
［ａ］次回は、、、、                                
［ｂ］次回の見どころは、、、、                      
［ｃ］凹ちゃん凸ちゃんからのお知らせ                
［ｄ］次回も忘れずに観たい（録画予約しよう）        
［ｅ］○▽さんの役柄がおもしろい（２０歳女性）      
［ｆ］凹ちゃんステキ！（３０歳女性）                
［ｇ］凸ちゃんかわいそう！                          
［ｈ］□△さん負けるな（４０歳男性）                
等、ＳＮＳ運営者が提供するＳＮＳサイトで上位ランキングにランキングされている単語やフレーズを利用することが効果的である。
【００６８】
なお、アーカイブ化に際しては、抽出した単語やフレーズについて、所定の規則に従う重み付けを適用することで、一層効果的に非消去対象と（アーカイブ化）する録画済番組を特定できる。例えば上述の［ａ］−［ｃ］について１ポイントとし、［ｄ］について５ポイントとする、等の運用により、アーカイブ化する際の非消去判定の精度を高めることができる。
【００６９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
１…画像記録装置（第二の電子機器）、１１…入力部、１２…信号処理部、５１…主制御ブロック、５６…録画予約管理部、６４…ネットワーク制御部、１０１…端末装置（第一の電子機器）、２０１…予約エンジン（第三の電子機器）、２０２…制御部（ＣＰＵ）、２０３…メインメモリ、２０４…記憶部、２０５…入出力管理部（ネットワークコントローラ）、２０６…カウンタ部、２０７…番組予約判定部、２０８…データベース管理部部、２０９…予約処理部、２１０…単語抽出部
【図１】
2016051952.tif 000003
【図２】
2016051952.tif 000004
【図３】
2016051952.tif 000005
【図４】
2016051952.tif 000006
【図５】
2016051952.tif 000007
【図６】
2016051952.tif 000008
【図７】
2016051952.tif 000009